(57)【要約】【課題】気泡の排出性の向上を図ることができる液体吐出ヘッドを提供する。【解決手段】液体吐出ヘッド２０は、液体をノズル２１から吐出させる吐出圧力が付与される圧力室２８と、前記圧力室に接続された第１端２９ａ、及び、前記第１端と反対側の第２端２９ｂを有するディセンダ２９と、前記第２端に接続され、前記第２端との接続箇所からＸ方向に延びて帰還マニホールド２３に接続される連通路３０と、を備えている。ここで、前記ディセンダが前記第２端から前記第１端側に向かって延びる第１方向Ｄ１は、前記Ｘ方向に対して直交するＹ方向よりも前記連通路側へ傾斜している。【選択図】図２
2020196232.tif 000002
【特許請求の範囲】
【請求項１】
液体をノズルから吐出させる吐出圧力が付与される圧力室と、
前記圧力室に接続された第１端、及び、前記第１端と反対側の第２端を有するディセンダと、
前記第２端に接続され、前記第２端との接続箇所からＸ方向に延びて帰還マニホールドに接続される連通路と、を備え、
前記ディセンダが前記第２端から前記第１端側に向かって延びる第１方向は、前記Ｘ方向に対して直交するＹ方向よりも前記連通路側へ傾斜している、液体吐出ヘッド。
【請求項２】
前記Ｙ方向に対する前記第１方向の傾斜角度は、５度以上且つ１０度以下である、請求項１に記載の液体吐出ヘッド。
【請求項３】
前記ディセンダが前記第１端から前記第２端側に向かって延びる第２方向は、前記Ｙ方向よりも前記連通路側の反対側へ傾斜している、請求項１又は２に記載の液体吐出ヘッド。
【請求項４】
前記Ｙ方向に対する前記第１方向の傾斜角度は、前記Ｙ方向に対する前記第２方向の傾斜角度よりも小さい、請求項３に記載の液体吐出ヘッド。
【請求項５】
前記ディセンダは、前記ディセンダの長手方向の各部が、前記第１端の中心と前記第２端の中心とを結ぶ仮想直線を含むよう構成されている、請求項１〜４のいずれか一項に記載の液体吐出ヘッド。
【請求項６】
前記ディセンダの断面積は、前記第１端側から前記第２端側に向かって縮小している、請求項１〜５のいずれか一項に記載の液体吐出ヘッド。
【請求項７】
前記Ｘ方向における前記ディセンダの前記連通路側は、前記第２端側から前記第１端側に向かって、前記Ｙ方向に対して前記連通路側へ傾斜している、請求項１〜６のいずれか一項に記載の液体吐出ヘッド。
【請求項８】
前記ディセンダを形成する面における前記第２端側において前記連通路側の反対側の面が前記連通路側へ突出している、請求項１〜７のいずれか一項に記載の液体吐出ヘッド。
【請求項９】
前記連通路は、前記ディセンダに接続される第１部分、及び、前記ディセンダとの間に前記第１部分を挟むように配置され且つ前記第１部分よりも断面積が小さい第２部分を有している、請求項１〜８のいずれか一項に記載の液体吐出ヘッド。
【請求項１０】
前記Ｘ方向及び前記Ｙ方向に直交するＺ方向において、前記第１部分の寸法は前記ディセンダの寸法よりも小さく、前記第２部分の寸法よりも大きい、請求項９に記載の液体吐出ヘッド。
【請求項１１】
前記ディセンダは、前記連通路が前記Ｘ方向の一方側に延びる複数の第１ディセンダ、及び、前記連通路が前記Ｘ方向の他方側に延びる複数の第２ディセンダを有し、
複数の前記第１ディセンダの前記第２端と複数の前記第２ディセンダの前記第２端とは、前記Ｘ方向及び前記Ｙ方向に直交するＺ方向、並びに、前記Ｘ方向において互い違いに配列された、請求項１〜１０のいずれか一項に記載の液体吐出ヘッド。
【請求項１２】
貫通孔が設けられた複数の板状体が積層される積層体を有し、
前記ディセンダは、前記積層体における複数の前記貫通孔により形成されている、請求項１〜１１のいずれか一項に記載の液体吐出ヘッド。
【請求項１３】
前記連通路に接続された帰還マニホールドと、
前記帰還マニホールド上に積層された供給マニホールドと、
前記圧力室及び前記供給マニホールドに接続され、前記圧力室の断面積よりも小さい絞り流路と、を備えている、請求項１〜１２のいずれか一項に記載の液体吐出ヘッド。
【発明の詳細な説明】
【技術分野】
【０００１】
本発明は、液体吐出ヘッドに関する。
【背景技術】
【０００２】
従来の液体吐出ヘッドとして、特許文献１の液滴吐出ヘッドでは、タンクから共通供給路本流に供給されたインクは、共通供給路支流及び供給路を通じて圧力室に充填される。そして、インクは圧力室から通路へ流れる。この一部のインクは、通路に連通するノズルからインク滴として吐出される。他のインクは、通路から排出路及び共通排出路支流を通ってタンクに送られる。このように、吐出されなかったインクは、タンクと圧力室との間を循環する。
【先行技術文献】
【特許文献】
【０００３】
【特許文献１】特開２００８−２９０２９２号公報
【発明の概要】
【発明が解決しようとする課題】
【０００４】
上記特許文献１の液滴吐出ヘッドでは、通路は排出路側から圧力室側に向かって排出路に直交する方向へ延びている。このため、インクが圧力室から通路を介して排出路へ流れる際、通路において排出路側と反対側の流速が、排出路側の流速よりも遅くなる。このような流速が遅い領域（例えば、止水域）には気泡等が滞留し易い。よって、気泡が圧力を吸収して、インクがノズルから吐出されないという不具合を招きかねない。
【０００５】
本発明はこのような課題を解決するためになされたものであり、気泡の排出性の向上を図ることができる液体吐出ヘッドを提供することを目的としている。
【課題を解決するための手段】
【０００６】
本発明のある態様に係る液体吐出ヘッドは、液体をノズルから吐出させる吐出圧力が付与される圧力室と、前記圧力室に接続された第１端、及び、前記第１端と反対側の第２端を有するディセンダと、前記第２端に接続され、前記第２端との接続箇所からＸ方向に延びて帰還マニホールドに接続される連通路と、を備え、前記ディセンダが前記第２端から前記第１端側に向かって延びる第１方向は、前記Ｘ方向に対して直交するＹ方向よりも前記連通路側へ傾斜している。
【０００７】
これによれば、ディセンダは、第１端側から第２端に向かって、Ｙ方向よりも、連通路側と反対側へ傾斜している。このため、液体は、第１端側から第２端へディセンダを流れる際に、連通路側と反対側へ導かれるため、この流れによって、流速が低下し易い連通路側と反対側において気泡を排出することができる。
【発明の効果】
【０００８】
本発明は、以上に説明した構成を有し、気泡の排出性の向上を図ることができる液体吐出ヘッドを提供することができるという効果を奏する。
【０００９】
本発明の上記目的、他の目的、特徴、及び利点は、添付図面参照の下、以下の好適な実施態様の詳細な説明から明らかにされる。
【図面の簡単な説明】
【００１０】
【図１】本発明の実施の形態に係る液体吐出ヘッドを備える液体吐出装置を概略的に示す図である。
【図２】図１の液体吐出ヘッドをＺ方向に直交する断面で切断した断面図である。
【図３】Ｙ方向に沿って視た各部の位置関係を示す図である。
【図４】本発明の実施の形態の変形例２に係る液体吐出ヘッドをＹ方向に沿って視た各部の位置関係を示す図である。
【図５】本発明の実施の形態の変形例３に係る液体吐出ヘッドをＺ方向に直交する断面で切断した断面図である。
【図６】本発明の実施の形態の変形例４に係る液体吐出ヘッドをＺ方向に直交する断面で切断した断面図である。
【発明を実施するための形態】
【００１１】
以下、本発明の実施の形態を、図面を参照しながら具体的に説明する。
【００１２】
本発明の実施形態に係る液体吐出ヘッド（以下、「ヘッド」と称する。）２０を備える液体吐出装置１０は、液体を吐出する装置である。以下では、液体吐出装置１０を、インク等の液体をインクジェットプリンタに適用した例について説明するが、液体吐出装置１０はこれに限定されない。
【００１３】
＜液体吐出装置の構成＞
液体吐出装置１０は、図１に示すように、ラインヘッド方式が採用され、プラテン１１、搬送部、ヘッドユニット１６、貯留タンク１２及び制御部１３を備えている。但し、液体吐出装置１０はラインヘッド方式に限定されず、例えば、シリアルヘッド方式等の他の方式も採用し得る。
【００１４】
プラテン１１は、平板部材であり、上面に用紙１４が配置され、その用紙１４とヘッドユニット１６との距離を決める。なお、プラテン１１よりもヘッドユニット１６側を上側と称し、その反対側を下側と称するが、液体吐出装置１０の配置はこれに限定されない。
【００１５】
搬送部は、例えば、２つの搬送ローラ１５、及び、搬送モータ（図示せず）を有する。２つの搬送ローラ１５は、搬送方向にプラテン１１を互いの間に挟み、平行に配置されており、搬送モータに連結されている。この搬送モータが駆動されると、搬送ローラ１５が回転し、プラテン１１上の用紙１４が搬送方向に搬送される。
【００１６】
ヘッドユニット１６は、用紙１４が搬送される方向（搬送方向）に直交する方向（直交方向）における用紙１４の長さ以上の長さを有している。ヘッドユニット１６には、複数のヘッド２０が設けられている。
【００１７】
ヘッド２０は、流路形成体と容積変更部を有している。流路形成体は、内部に液体流路が形成され、下面(吐出面４０ａ)に複数のノズル孔２１ａが開口している。容積変更部は、駆動されて、液体流路の容積を変更する。このとき、ノズル孔２１ａでは、メニスカスが振動し、液体が吐出される。なお、ヘッド２０の詳細に関しては後述する。
【００１８】
貯留タンク１２は、インクの種類ごとに設けられている。例えば、４つの貯留タンク１２には、ブラック、イエロー、シアン、マゼンタのインクがそれぞれ貯留されている。この貯留タンク１２のインクは、対応するノズル孔２１ａに液体流路により供給される。
【００１９】
制御部１３は、ＣＰＵ等の演算部、ＲＡＭ及びＲＯＭ等の記憶部、及び、ＡＳＩＣ等のドライバＩＣを備えている。制御部１３では、ＣＰＵが、各種要求及びセンサの検出信号を受けて、ＲＡＭに各種データを記憶させると共に、ＲＯＭに記憶されたプログラムに基づいて各種の実行指令をＡＳＩＣへ出力する。ＡＳＩＣは、この指令に基づいて、各ドライバＩＣを制御し対応する動作を実行する。これにより、搬送モータ及び容積変更部が駆動される。
【００２０】
例えば、制御部１３は、ヘッドユニット１６の吐出動作、及び、用紙１４の搬送動作等を実行する。吐出動作では、ヘッドユニット１６のノズル孔２１ａからインクが吐出される。また、搬送動作では、用紙１４が搬送方向に所定量毎搬送される。この吐出動作と共に搬送動作が実行されて、印刷処理が進む。
【００２１】
＜ヘッドの構成＞
ヘッド２０は、上述のように、流路形成体及び容積変更部を備えている。図２及び図３に示すように、流路形成体は複数のプレートの積層体であり、容積変更部は振動板５５及び圧電素子６０を有している。
【００２２】
複数のプレートは、ノズルプレート４０、第１流路プレート４１、第２流路プレート４２、第３流路プレート４３、第４流路プレート４４、第５流路プレート４５、第６流路プレート４６、第７流路プレート４７、第８流路プレート４８、第９流路プレート４９及び第１０流路プレート５０を含んでいる。これらのプレートは、この順でＹ方向に積層されている。
【００２３】
各プレートには、大小様々な孔及び溝が形成されている。各プレートが積層された流路形成体の内部では孔及び溝が組み合わされて、例えば、複数のノズル２１、複数の個別流路、供給マニホールド２２及び帰還マニホールド２３が液体流路として形成されている。
【００２４】
ノズル２１は、ノズルプレート４０をＹ方向に貫通し形成されており、その先端開口（ノズル孔２１ａ）、及び、先端開口の反対側の基端開口２１ｂを有している。例えば、ノズル２１は切頭円錐形状であって、基端開口２１ｂの面積はノズル孔２１ａの面積よりも大きい。ノズルプレート４０の吐出面４０ａには、ノズル２１のノズル孔２１ａがＺ方向に並んでノズル列を形成している。
【００２５】
なお、Ｚ方向は、Ｙ方向に直交した方向であって、図１の直交方向に沿っていてもよいし、直交方向に傾斜していてもよい。また、Ｘ方向は、Ｙ方向に直交し且つＺ方向に交差（例えば、直交）する方向であって、走査方向に沿っていてもよいし、走査方向に傾斜していてもよい。
【００２６】
供給マニホールド２２及び帰還マニホールド２３のそれぞれは、Ｚ方向に長く延び、複数の個別流路に接続されている。供給マニホールド２２には、その長手方向の一端に供給口２２ａが設けられ、帰還マニホールド２３には、その長手方向の一端に帰還口２３ａが設けられている。供給マニホールド２２は、帰還マニホールド２３の上に積層されており、Ｙ方向において帰還マニホールド２３に重なるように配置されている。
【００２７】
供給マニホールド２２のＺ方向に対する断面積（Ｚ断面積）、及び、帰還マニホールド２３のＺ方向に対する断面積（Ｚ断面積）は、互いに等しい。例えば、Ｘ方向及びＹ方向において、供給マニホールド２２及び帰還マニホールド２３は、互いに等しいサイズ及び形状を有していてもよい。また、Ｚ方向において、帰還マニホールド２３は、供給マニホールド２２よりも長くてもよい。
【００２８】
供給マニホールド２２は、第６流路プレート４６〜第７流路プレート４７をＹ方向に貫通した貫通孔、及び、第８流路プレート４８の下面から窪んだ窪みがＹ方向に重なって形成されている。このため、供給マニホールド２２の下端は第５流路プレート４５に覆われ、上端は第８流路プレート４８における上側部分に覆われている。
【００２９】
帰還マニホールド２３は、第２流路プレート４２〜第３流路プレート４３をＹ方向に貫通した貫通孔、及び、第４流路プレート４４の下面から窪んだ窪みがＹ方向に重なって形成されている。このため、帰還マニホールド２３の下端は第１流路プレート４１に覆われ、上端は第４流路プレート４４における上側部分に覆われている。
【００３０】
この供給マニホールド２２と帰還マニホールド２３との間には、バッファー空間２４が配置されている。バッファー空間２４は、第５流路プレート４５の下面から窪んだ窪みにより形成されている。このため、Ｙ方向において、供給マニホールド２２とバッファー空間２４とは第５流路プレート４５の上側部分を介して隣接し、帰還マニホールド２３とバッファー空間２４とは第４流路プレート４４の上側部分を介して隣接している。供給マニホールド２２と帰還マニホールド２３との間にバッファー空間２４を挟むことにより、供給マニホールド２２における液体の流通圧力及び帰還マニホールド２３における液体の流通圧力が互いに作用することを低減することができる。
【００３１】
複数の個別流路は、供給マニホールド２２から分岐し、帰還マニホールド２３に統合されている。個別流路は、上流端が供給マニホールド２２に接続され、下流端が帰還マニホールド２３に接続されており、この間においてノズル２１の基端開口２１ｂに接続されている。個別流路は、第１連通孔２５、絞り流路２６、第２連通孔２７、圧力室２８、ディセンダ２９、連通路３０及び第３連通孔３２を有し、これらはこの順に配置されている。
【００３２】
第１連通孔２５は、その下端が供給マニホールド２２の上端に接続し、供給マニホールド２２からＹ方向の上方に延び、第８流路プレート４８における上側部分をＹ方向に貫通している。第１連通孔２５は、Ｘ方向における供給マニホールド２２の中央よりも一方側（第１側）に配置されている。Ｙ方向に直交する第１連通孔２５の断面積（Ｙ断面積）は、供給マニホールド２２のＺ断面積よりも小さい。
【００３３】
絞り流路２６は、その第１側の端が第１連通孔２５の上端に接続し、Ｘ方向の第２側へ延びている。絞り流路２６は、第９流路プレート４９の下面から窪んだ溝により形成されている。Ｘ方向に直交する絞り流路２６の断面積（Ｘ断面積）は、第１連通孔２５のＹ断面積よりも小さい。
【００３４】
第２連通孔２７は、その下端が絞り流路２６の第２側の端に接続し、絞り流路２６からＹ方向の上方に延び、第９流路プレート４９における上側部分をＹ方向に貫通している。第２連通孔２７は、Ｘ方向における供給マニホールド２２の中央よりも他方側（第２側）に配置されている。Ｙ方向に直交する第２連通孔２７の断面積（Ｙ断面積）は、絞り流路２６のＸ断面積よりも大きい。
【００３５】
圧力室２８は、その第１側の端が第２連通孔２７の上端に接続し、Ｘ方向の第２側へ延びている。圧力室２８は、第１０流路プレート５０をＹ方向に貫通して形成されている。Ｘ方向に直交する圧力室２８の断面積（Ｘ断面積）は、第２連通孔２７のＹ断面積以上である。
【００３６】
ディセンダ２９は、例えば、円柱形状等の柱形状であって、Ｘ方向において供給マニホールド２２及び帰還マニホールド２３よりも第２側に配置されている。ディセンダ２９は、第１流路プレート４１〜第９流路プレート４９をＹ方向に対して傾斜して貫通している。
【００３７】
ディセンダ２９は、Ｙ方向において第１端２９ａ（例えば、上端）、及び、第１端２９ａの反対側の第２端２９ｂ（例えば、下端）を有している。第１端２９ａは、圧力室２８の第２側の端に接続されている。なお、ディセンダ２９の詳細については後述する。
【００３８】
連通路３０は、ディセンダ２９の第２端２９ｂに接続され、第２端２９ｂとの接続箇所からＸ方向に延びて帰還マニホールド２３に接続される。連通路３０は、第１部分３０ａ及び第２部分３０ｂを有している。
【００３９】
第１部分３０ａは、その第２側の端がディセンダ２９の第２端２９ｂに接続され、ディセンダ２９からＸ方向の第１側へ延びている。第１部分３０ａは、第１流路プレート４１をＹ方向に貫通して形成されている。Ｘ方向に直交する第１部分３０ａの断面積（Ｘ断面積）は、Ｙ方向に直交するディセンダ２９の断面積（Ｙ断面積）以下である。
【００４０】
第１部分３０ａの下端に、ノズル２１の基端開口２１ｂ及びディセンダ２９の第２端２９ｂが接続されている。これにより、Ｙ方向から視てディセンダ２９の第２端２９ｂとノズル２１の基端開口２１ｂとは重ならない。第２端２９ｂよりもＸ方向における第１側にある第１部分３０ａに基端開口２１ｂが配置されている。
【００４１】
第２部分３０ｂは、その第２側の端が第１部分３０ａの第１側の端に接続し、第１部分３０ａからＸ方向の第１側へ延びている。第２部分３０ｂは、第１流路プレート４１の下面から窪んだ溝により形成されている。Ｘ方向に直交する第２部分３０ｂの断面積（Ｘ断面積）は、第１部分３０ａのＸ断面積よりも小さい。
【００４２】
第３連通孔３２は、その下端が第２部分３０ｂの第１側の端に接続し、第２部分３０ｂからＹ方向の上方に延び、第１流路プレート４１における上側部分をＹ方向に貫通している。第３連通孔３２は、その上端が帰還マニホールド２３の下端に接続されている。第３連通孔３２は、Ｘ方向における帰還マニホールド２３の中央よりも第２側に配置されている。Ｙ方向に直交する第３連通孔３２の断面積（Ｙ断面積）は、第２部分３０ｂのＸ断面積よりも大きい。
【００４３】
振動板５５は、第１０流路プレート５０の上に積層されており、圧力室２８の上端開口を覆っている。なお、振動板５５は、第１０流路プレート５０と一体的に形成されていてもよい。この場合、圧力室２８はＹ方向に第１０流路プレート５０の下面から窪んで形成される。この第１０流路プレート５０において圧力室２８よりも上側部分が振動板５５として機能する。
【００４４】
圧電素子６０は共通電極６１、圧電層６２及び個別電極６３を含み、これらはこの順で配置されている。共通電極６１は、絶縁膜５６を介して振動板５５の全面を覆っている。圧電層６２は、圧力室２８毎に設けられ、共通電極６１上に配置されている。個別電極６３は、圧力室２８毎に設けられ、圧力室２８に重なるように圧電層６２上に配置されている。このとき、１つの個別電極６３、共通電極６１及び両電極で挟まれた部分の圧電層６２（活性部）により、１つの圧電素子６０が構成される。
【００４５】
個別電極６３は、ドライバＩＣに電気的に接続されている。このドライバＩＣは、制御部１３（図１）から制御信号を受けて、駆動信号(電圧信号)を生成し、個別電極６３に印加する。これに対し、共通電極６１は、常にグランド電位に保持されている。
【００４６】
駆動信号に応じて、圧電層６２の活性部が、２つの電極６１、６３と共に面方向に伸縮する。これに応じて、振動板５５が協働して変形し、圧力室２８の容積を増減する方向に変化する。これにより、圧力室２８に、液体をノズル２１から吐出させる吐出圧力が付与される。
【００４７】
＜液体の流れ＞
例えば、供給マニホールド２２の供給口２２ａに供給配管によりサブタンクに接続され、帰還マニホールド２３の帰還口２３ａに帰還配管によりサブタンクに接続される。供給配管の加圧ポンプ及び帰還配管の負圧ポンプが駆動すると、液体は、サブタンクから供給配管を通り供給マニホールド２２に流入し、Ｚ方向に供給マニホールド２２を流通する。
【００４８】
この間に液体の一部は個別流路に流入する。ここで、液体は、供給マニホールド２２から第１連通孔２５を介して絞り流路２６に流入し、絞り流路２６をＸ方向に流れ、絞り流路２６から第２連通孔２７を介して圧力室２８に流入し、圧力室２８をＸ方向に流れる。そして、液体は、ディセンダ２９を第１端２９ａから第２端２９ｂへＹ方向に流れ、連通路３０の第１部分３０ａをＸ方向に流れて、ノズル２１に流入する。ここで、圧電素子６０によって圧力室２８に吐出圧力が付与されると、液体はノズル孔２１ａから吐出される。
【００４９】
残る液体は、ディセンダ２９から連通路３０の第１部分３０ａにＸ方向へ流れ、第２部分３０ｂを流通し、第３連通孔３２を介して帰還マニホールド２３に流入する。そして、液体は帰還マニホールド２３をＺ方向に流れて、帰還配管を通りサブタンクへ戻る。これにより、個別流路に流入しなかった液体は、サブタンクと個別流路との間を循環する。
【００５０】
＜ディセンダの形状＞
ディセンダ２９は、第１流路プレート４１〜第９流路プレート４９の各プレートに設けられた第１貫通孔４１ａ〜第９貫通孔４９ａにより形成されている。第１貫通孔４１ａ〜第９貫通孔４９ａは、この順でＹ方向に積層されており、例えば、円柱形状等の柱形状によりそれぞれ形成されている。
【００５１】
例えば、第１貫通孔４１ａ〜第３貫通孔４３ａは、互いに同じサイズ及び形状を有しており、Ｙ方向に直交する各断面中心がＹ方向の直線状に並ぶように配置されている。このため、第１貫通孔４１ａ〜第３貫通孔４３ａは、一体的な柱形状を形成する。
【００５２】
第４貫通孔４４ａ〜第５貫通孔４５ａは、互いに同じサイズ及び形状を有しており、Ｙ方向に直交する各断面中心がＹ方向の直線状に並ぶように配置されている。このため、第４貫通孔４４ａ〜第５貫通孔４５ａは、一体的な柱形状を形成する。第４貫通孔４４ａ〜第５貫通孔４５ａは、第１貫通孔４１ａ〜第３貫通孔４３ａと同じサイズ及び形状を有し、第１貫通孔４１ａ〜第３貫通孔４３ａよりもＸ方向の第１側に位置している。
【００５３】
第６貫通孔４６ａ〜第７貫通孔４７ａは、互いに同じサイズ及び形状を有しており、Ｙ方向に直交する各断面中心がＹ方向の直線状に並ぶように配置されている。このため、第６貫通孔４６ａ〜第７貫通孔４７ａは、一体的な柱形状を形成する。第６貫通孔４６ａ〜第７貫通孔４７ａは、第４貫通孔４４ａ〜第５貫通孔４５ａと同じサイズ及び形状を有し、第４貫通孔４４ａ〜第５貫通孔４５ａよりもＸ方向の第１側に位置している。
【００５４】
第８貫通孔４８ａは、第７貫通孔４７ａよりもサイズが小さく、第７貫通孔４７ａと同じ形状を有している。第８貫通孔４８ａは、第７貫通孔４７ａよりもＸ方向の第１側に位置している。
【００５５】
第９貫通孔４９ａは、第８貫通孔４８ａよりもサイズが小さく、第８貫通孔４８ａと同じ形状を有している。第９貫通孔４９ａは、第８貫通孔４８ａよりもＸ方向の第１側に位置している。
【００５６】
このように、第１貫通孔４１ａ〜第９貫通孔４９ａは、第２端２９ｂから第１端２９ａに向かってＸ方向の第１側に段階的に傾斜している。ここで、第１貫通孔４１ａ〜第９貫通孔４９ａは、第１端２９ａの端面中心２９ａｃと第２端２９ｂの端面中心２９ｂｃを結ぶ仮想直線２９ｃを通るように配置されている。このため、ディセンダ２９は、ディセンダ２９の長手方向の各部（第１貫通孔４１ａ〜第９貫通孔４９ａ）が、仮想直線２９ｃを含むよう構成されている。
【００５７】
また、ディセンダ２９は、第２端２９ｂから第１端２９ａ側に向かって第１方向Ｄ１に延びている。この第１方向Ｄ１は、第２端２９ｂからＹ方向よりも連通路３０側へ傾斜している。Ｙ方向に対する第１方向Ｄ１の傾斜角度θ１は、例えば、５度以上且つ１０度以下である。
【００５８】
例えば、第１方向Ｄ１は、第２端２９ｂを含むが第１端２９ａを含まないディセンダ２９の部分（下部分）の延伸方向である。この下部分は、第２端２９ｂから第１端２９ａ側へ所定長さの範囲であり、例えば、Ｙ方向におけるディセンダ２９の中間位置よりも第２端２９ｂ側の部分である。
【００５９】
第１方向Ｄ１は、第２端２９ｂよりも第１端２９ａ側のディセンダ２９において、Ｙ方向に直交する断面中心が、第２端２９ｂの端面中心２９ｂｃからＸ方向に変化する方向であってもよい。
【００６０】
例えば、第１方向Ｄ１は、第２端２９ｂの端面中心２９ｂｃから、第４貫通孔４４ａの下面の断面中心２９ｎｃへ延びる方向であってもよい。又は、第１方向Ｄ１は、端面中心２９ｂｃから、Ｙ方向におけるディセンダ２９の中間位置の断面中心へ延びる方向であってもよい。
【００６１】
これらの断面中心は端面中心２９ｂｃよりもＸ方向の第１側に位置している。これにより、ディセンダ２９の下部分は、第２端２９ｂから第１端２９ａ側に向かってＸ方向の第１側に傾斜している。
【００６２】
なお、第１方向Ｄ１は、端面中心２９ｂｃ、及び、第２端２９ｂよりも第１端２９ａ側にあるディセンダ２９の１つ又は複数の断面中心に対する近似直線の方向であってもよい。この場合、第１方向Ｄ１は端面中心２９ｂｃを通っていなくてもよい。
【００６３】
さらに、ディセンダ２９は、第１端２９ａから第２端２９ｂ側に向かって第２方向Ｄ２に延びている。この第２方向Ｄ２は、第１端２９ａからＹ方向よりも連通路３０側の反対側へ傾斜している。例えば、Ｙ方向に対する第２方向Ｄ２の傾斜角度θ２は、Ｙ方向に対する第１方向Ｄ１の傾斜角度θ１よりも大きい。
【００６４】
例えば、第２方向Ｄ２は、第１端２９ａを含むが第２端２９ｂを含まないディセンダ２９の部分（上部分）の延伸方向である。この上部分は、第１端２９ａから第２端２９ｂ側へ所定長さの範囲であり、例えば、Ｙ方向におけるディセンダ２９の中間位置よりも第１端２９ａ側の部分である。
【００６５】
第２方向Ｄ２は、第１端２９ａよりも第２端２９ｂ側のディセンダ２９において、Ｙ方向に直交する断面中心が、第２端２９ｂの端面中心２９ａｃからＸ方向に変化する方向であってもよい。
【００６６】
例えば、第２方向Ｄ２は、第１端２９ａの端面中心２９ａｃから、第８貫通孔４８ａの上面の断面中心２９ｍｃへ延びる方向であってもよい。又は、第１方向Ｄ１は、端面中心２９ａｃから、Ｙ方向におけるディセンダ２９の中間位置の断面中心へ延びる方向であってもよい。
【００６７】
これらの断面中心は端面中心２９ａｃよりもＸ方向の第２側に位置している。これにより、ディセンダ２９の上部分は、第１端２９ａから第２端２９ｂ側に向かってＹ方向の第２側に傾斜している。
【００６８】
なお、第２方向Ｄ２は、端面中心２９ａｃ、及び、第１端２９ａよりも第２端２９ｂ側にあるディセンダ２９の１つ又は複数の断面中心に対する近似直線の方向であってもよい。この場合、第２方向Ｄ２は端面中心２９ａｃを通っていなくてもよい。
【００６９】
このように、ディセンダ２９において、第２端２９ｂが第１端２９ａよりもＸ方向の第２側（連通路３０側の反対側）に位置するように傾斜している。このため、ディセンダ２９の仮想直線２９ｃも、第２端２９ｂから第１端２９ａに向かってＸ方向の第１側に傾斜している。
【００７０】
図３に示すように、ディセンダ２９の第１端２９ａの第１側の端は、連通路３０の第１部分３０ａの第１側の端上に位置している。ディセンダ２９の各中心２９ａｃ、２９ｂｃは、連通路３０の第１部分３０ａ及び第２部分３０ｂの各中心軸上に位置している。また、Ｚ方向における寸法は、ディセンダ２９、第１部分３０ａ及び第２部分３０ｂの順で小さくなる。
【００７１】
＜作用、効果＞
ヘッド２０では、ディセンダ２９が第２端２９ｂから第１端２９ａ側に向かって延びる第１方向Ｄ１は、Ｘ方向に対して直交するＹ方向よりも連通路３０側へ傾斜している。
【００７２】
例えば、ディセンダ２９がＹ方向に直線状に延びている場合、液体は第１端２９ａ側から第２端２９ｂへディセンダ２９を流れ、第２端２９ｂ側から連通路３０へ流入する。このため、ディセンダ２９において第２端２９ｂ側では液体の流れが連通路３０側へ引きよせられるため、連通路３０側の反対側では流れが滞り気泡が滞留するおそれがある。
【００７３】
これに対し、ディセンダ２９は、第１端２９ａ側から第２端２９ｂに向かって、Ｘ方向における連通路３０側と反対側（第２側）へ傾斜している。これにより、液体は、第１端２９ａ側から第２端２９ｂへディセンダ２９を流れる際に、第２側へ導かれる。この流れによって、流れが滞り易い第２側において気泡を排出することができる。
【００７４】
このヘッド２０では、Ｙ方向に対する第１方向Ｄ１の傾斜角度θ１は、５度以上且つ１０度以下であってもよい。これによれば、傾斜角度θ１が５度以上であれば、ディセンダ２９における連通路３０側と反対側に液体が流れ易くなる。この流れにより十分な気泡排出性を確保することができる。一方、傾斜角度θが１０度以下では、Ｘ方向に傾斜するディセンダ２９のサイズが大きくなることを低減し、ヘッド２０の大型化を抑制することができる。
【００７５】
ヘッド２０では、ディセンダ２９が第１端２９ａから第２端２９ｂ側に向かって延びる第２方向Ｄ２は、Ｙ方向よりも連通路３０側の反対側へ傾斜していてもよい。これによれば、液体は、第１端２９ａから第２端２９ｂ側に向かってディセンダ２９を流れる際、Ｘ方向において連通路３０側と反対側（第２側）へ導かれる。この流れによってディセンダ２９の第１端２９ａ側の部分（上部分）における第２側の気泡を排出することができる。
【００７６】
ヘッド２０では、Ｙ方向に対する第１方向Ｄ１の傾斜角度θ１は、Ｙ方向に対する第２方向Ｄ２の傾斜角度θ２よりも小さくてもよい。これによれば、第２方向Ｄ２の傾斜角度θ２が大きくなるほど、ディセンダ２９の流れ始めにおける、連通路３０側と反対側へ流れる流れの成分が大きくなる。これにより、ディセンダ２９全体の流れにおいて、より多くの液体が連通路３０側と反対側へ導かれる。この流れによって、連通路３０側と反対側における気泡を排出することができる。
【００７７】
ヘッド２０ではディセンダ２９の長手方向の各部が、第１端２９ａの中心２９ａｃと第２端２９ｂの中心２９ｂｃとを結ぶ仮想直線２９ｃを含むよう構成されていてもよい。
【００７８】
これによれば、ディセンダ２９による傾斜の程度をこの範囲に抑制することにより、ディセンダ２９における流れの圧力損失を抑制することができる。このため、液体は、ディセンダ２９を円滑に流れて、気泡を排出することができる。
【００７９】
ヘッド２０では、連通路３０は、ディセンダ２９に接続される第１部分３０ａ、及び、ディセンダ２９との間に第１部分３０ａを挟むように配置され且つ第１部分３０ａよりも断面積が小さい第２部分３０ｂを有していてもよい。
【００８０】
これによれば、液体がディセンダ２９、第１部分３０ａ及び第２部分３０ｂの順に流れる際、液体が流れる圧力損失を低減でき、ディセンダ２９及び連通路３０の気泡排出性を向上することができる。
【００８１】
ヘッド２０では、Ｘ方向及びＹ方向に直交するＺ方向において、第１部分３０ａの寸法はディセンダ２９の寸法よりも小さく、第２部分３０ｂの寸法よりも大きくてもよい。
【００８２】
これによれば、Ｚ方向における寸法はディセンダ２９、第１部分３０ａ及び第２部分３０ｂの順で小さくなる。このため、液体がディセンダ２９、第１部分３０ａ及び第２部分３０ｂの順に流れる際、止水域を低減でき、ディセンダ２９及び連通路３０の気泡排出性を向上することができる。
【００８３】
ヘッド２０では、貫通孔４１ａ〜４９ａが設けられた複数の板状体（流路プレート４１〜４９）が積層される積層体を有し、ディセンダ２９は、積層体における複数の貫通孔４１ａ〜４９ａにより形成されていてもよい。
【００８４】
これによれば、貫通孔４１ａ〜４９ａが設けられた流路プレート４１〜４９を積層するだけで、ディセンダ２９を容易に形成することができる。
【００８５】
ヘッド２０は、連通路３０に接続された帰還マニホールド２３と、帰還マニホールド２３上に積層された供給マニホールド２２と、圧力室２８及び供給マニホールド２２に接続され、圧力室２８の断面積よりも小さい絞り流路２６と、を備えていてもよい。
【００８６】
これによれば、ディセンダ２９よりもＸ方向の一方側（例えば、第１側）に、互いに積層された供給マニホールド２２及び帰還マニホールド２３が配置される。これにより、Ｘ方向においてヘッド２０の大型化を抑制することができる。
【００８７】
＜変形例１＞
変形例１に係るヘッド２０において、ディセンダ２９の断面積は、第１端２９ａ側から第２端２９ｂ側に向かって縮小していてもよい。
【００８８】
具体的には、ディセンダ２９は、第１貫通孔４１ａ〜第９貫通孔４９ａにより形成されている。第９貫通孔４９ａ〜第１貫通孔４１ａは、Ｚ方向に直交する断面積がこの順で小さくなっていってもよい。このため、第１貫通孔４１ａの断面積が第９貫通孔４９ａの断面積よりも大きくなる。
【００８９】
第９貫通孔４９ａ〜第１貫通孔４１ａにおいて、ある貫通孔の断面積がそれよりも第１端２９ａ側にある貫通孔の断面積よりも小さい。この場合、各貫通孔の断面積が、それよりも第１端２９ａ側に隣接する貫通孔の断面積よりも小さくなっていてもよい。又は、第９貫通孔４９ａ〜第１貫通孔４１ａのうち、連続する複数の貫通孔の断面積が互いに同じであって、この複数の貫通孔がそれよりも第１端２９ａ側に隣接する貫通孔の断面積よりも小さくなっていてもよい。
【００９０】
これにより、液体が第１端２９ａ側から第２端２９ｂ側にディセンダ２９を流れる際、第１端２９ａ側から第２端２９ｂ側に向かって縮小するディセンダ２９に応じて流速が増加する。このため、ディセンダ２９の第２端２９ｂ側における気泡の排出性を向上することができる。
【００９１】
＜変形例２＞
変形例２に係るヘッドは、図４に示すように、ヘッドユニット１６における第１ディセンダ１２９の第２端１２９ｂと第２ディセンダ２２９の第２端２２９ｂとが互い違いに配列されている。
【００９２】
具体的には、ヘッドユニット１６において、複数のヘッドがＸ方向に並んで配置されている。複数のヘッドは第１ヘッド１２０及び第２ヘッド２２０を有し、これらはＸ方向において互いに隣接して配置されている。第１ヘッド１２０は複数の第１ディセンダ１２９を有し、第２ヘッド２２０は複数の第２ディセンダ２２９を有している。
【００９３】
ディセンダは、第１ディセンダ１２９及び第２ディセンダ２２９を有している。第１ヘッド１２０では、連通路３０が第１ディセンダ１２９からＸ方向の一方側（第１側）に延びている。第２ヘッド２２０では、連通路３０が第２ディセンダ２２９からＸ方向の他方側（第２側）に延びている。
【００９４】
このため、第１ディセンダ１２９は、第１端１２９ａから第２端１２９ｂに向かってＸ方向の第２側へ傾斜している。また、第２ディセンダ２２９は、第１端２２９ａから第２端２２９ｂに向かってＸ方向の第１側へ傾斜している。第１端１２９ａは第１端２２９ａよりもＸ方向の第１側であり、第２端２２９ｂは第２端２２９ｂよりもＸ方向の第２側である。
【００９５】
複数の第１ディセンダ１２９はＺ方向に直線状に並んで列を形成し、複数の第２ディセンダ２２９はＺ方向に直線状に並んで列を形成している。この第１ディセンダ１２９の列において、複数の第１ディセンダ１２９の第１端１２９ａはＺ方向に直線状に並び、第２端１２９ｂはＺ方向に直線状に並んでいる。また、第２ディセンダ２２９の列において、複数の第２ディセンダ２２９の第１端２２９ａはＺ方向に直線状に並び、第２端２２９ｂはＺ方向に直線状に並んでいる。
【００９６】
Ｘ方向及びＺ方向において、複数の第１端１２９ａと複数の第１端２２９ａとは互い違いに配置され、複数の第２端１２９ｂと複数の第２端２２９ｂとは互い違いに配置されている。ここで、第１端１２９ａの列と第２端２２９ｂの列は互いに同じ直線上にあり、第２端１２９ｂの列と第１端２２９ａの列は互いに同じ直線上にあってもよい。この場合、第１ディセンダ１２９の列と第２ディセンダ２２９の列とは、互いに同じ直線上に配置され、Ｚ方向に沿って視たとき互いにＸ方向における全部が重なる。
【００９７】
これにより、第１ディセンダ１２９及び第２ディセンダ２２９は、Ｘ方向に傾斜しているが、Ｘ方向に互いに重なっている。このため、Ｘ方向における傾斜によるヘッド１２０の大型化を、Ｘ方向における重なりにより抑制することができる。
【００９８】
なお、Ｘ方向において第１端１２９ａの列と第２端１２９ｂの列との間に、第１端２２９ａの列又は第２端２２９ｂの列が配置されてもよい。この場合、Ｚ方向に沿って視たとき、第１ディセンダ１２９の列と第２ディセンダ２２９の列とは、Ｘ方向における一部が互いに重なる。このため、Ｘ方向におけるヘッド１２０の大型化を抑制することができる。
【００９９】
＜変形例３＞
変形例３に係るヘッド３２０では、図５に示すように、ディセンダ３２９を形成する面における第２端３２９ｂ側において連通路３０側の反対側の面が連通路３０側へ突出している。
【０１００】
具体的には、ディセンダ３２９は、第１貫通孔３４１ａ、及び、第２貫通孔４２ａ〜第９貫通孔４９ａにより構成されている。第１貫通孔３４１ａは、第１流路プレート３４１に設けられ、ディセンダ３２９の第２端３２９ｂ側の部分を形成している。第１貫通孔３４１ａを取り囲む第１流路プレート３４１の内周面３４１ｂは、第１貫通孔３４１ａを形成している。
【０１０１】
Ｚ方向に直交する方向において、内周面３４１ｂの第２側は第１側に突出している。この突出部３４１ｃにより、第１貫通孔３４１ａは、Ｘ方向において第２側が第１側に窪んでいる。このため、ディセンダ３２９の第２端３２９ｂ側における、連通路３０と反対側の角が、突出部３４１ｃにより埋められる。このため、気泡が溜まり易い角を減らすことにより、気泡の排出性を向上することができる。
【０１０２】
なお、突出部３４１ｃによって第２端３２９ｂが窪んでいても、ディセンダ２９の第２端２９ｂからの第１方向Ｄ１はこの窪みを考慮せずに設定されてもよい。
【０１０３】
＜変形例４＞
変形例４に係るヘッド４２０では、図６に示すように、Ｘ方向におけるディセンダ４２９の連通路３０側は、第２端４２９ｂ側から第１端４２９ａ側に向かって、Ｙ方向に対して連通路３０側へ傾斜している。
【０１０４】
例えば、ディセンダ４２９は、第２端４２９ｂの面積が第１端４２９ａの面積よりも小さい切頭錐体形状である。Ｚ方向に直交するディセンダ４２９の断面積は、直角台形等の台形状であってもよい。
【０１０５】
Ｚ方向に直交するディセンダ４２９の断面は、Ｘ方向の第１側の第１縁４２９ｄ、及び、第２側の第２縁４２９ｅを有している。第１端４２９ａと第１縁４２９ｄとのなす角は、第１端４２９ａと第２縁４２９ｅとのなす角よりも小さく、例えば、鋭角である。第１端４２９ａと第２縁４２９ｅとのなす角は、例えば、直角であってもよい。
【０１０６】
このように、ディセンダ４２９の第１縁４２９ｄは、第１端４２９ａ側から第２端４２９ｂ側に向かって、Ｘ方向の第２側へ傾斜している。これにより、ディセンダ４２９の第１方向Ｄ１を第１端４２９ａ側から第２端４２９ｂ側に向かってＸ方向の第１側に傾斜させる。これにより、液体の流れを第２端４２９ｂ側において第２側に導き、気泡の排出性を向上することができる。
【０１０７】
なお、上記の例では、ディセンダ４２９の第２縁４２９ｅは、Ｙ方向に延びている。但し、第１方向Ｄ１がＹ方向よりも連通路３０側へ傾斜していれば、第２縁４２９ｅはＹ方向よりも連通路３０側又はその反対側へ傾斜していてもよい。この場合、例えば、第１方向Ｄ１は、第２端２９ｂの端面中心２９ｂｃから、第３貫通孔４３ａの下面の断面中心２９ｎｃへ延びる方向であってもよい。
【０１０８】
＜その他の変形例＞
実施の形態及び全ての変形例において、連通路３０は、第１部分３０ａ及び第２部分３０ｂを有している。但し、連通路３０は、第２部分３０ｂを有し、第１部分３０ａを有さなくてもよい。
【０１０９】
この場合も、第２部分３０ｂにより、圧電素子６０により圧力室２８に付与される吐出圧力が第２部分３０ｂを介して帰還マニホールド２３へ抜けることを抑制することができる。このため、圧電素子６０による吐出圧力は、圧力室２８からディセンダ２９、１２９、２２９、３２９、４２９を介してノズル２１に伝播されて、液体がノズル孔２１ａから吐出される。
【０１１０】
実施の形態及び全ての変形例において、ディセンダ２９における第２方向Ｄ２がＹ方向よりも連通路３０側の反対側へ傾斜していた。但し、第２方向Ｄ２はＹ方向に沿って延びていてもよい。
【０１１１】
なお、上記実施の形態及び変形例は、互いに相手を排除しない限り、互いに組み合わせてもよい。例えば、変形例２〜４及びその組み合わせにおいて、変形例１と同様に、ディセンダの断面積は第１端側から第２端側に向かって縮小していてもよい。また、変形例１、３〜４及びその組み合わせにおいて、変形例２と同様に、第１ディセンダの第２端と第２ディセンダの第２端とが互い違いに配列されてもよい。さらに、変形例１〜２、４及びその組み合わせにおいて、変形例３と同様に、ディセンダの第２端側において連通路側の反対側が連通路側へ窪んでいてもよい。変形例１〜３及びその組み合わせにおいて、変形例４と同様に、ディセンダの連通路側は第２端側から第１端側に向かって連通路側へ傾斜していてもよい。
【０１１２】
上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１１３】
本発明の液体吐出ヘッドは、気泡の排出性の向上を図ることができる液体吐出ヘッド等として有用である。
【符号の説明】
【０１１４】
２０      ：ヘッド（液体吐出ヘッド）
２１      ：ノズル
２２      ：供給マニホールド
２３      ：帰還マニホールド
２６      ：絞り流路
２８      ：圧力室
２９      ：ディセンダ
２９ａ    ：第１端
２９ａｃ  ：中心
２９ｂ    ：第２端
２９ｂｃ  ：中心
２９ｃ    ：仮想直線
３０      ：連通路
３０ａ    ：第１部分
３０ｂ    ：第２部分
４１ａ〜４９ａ：貫通孔
４１〜４９：流路プレート（板状体）
１２０    ：第１ヘッド（液体吐出ヘッド）
１２９    ：第１ディセンダ（ディセンダ）
１２９ａ  ：第１端
１２９ｂ  ：第２端
２２０    ：第２ヘッド（液体吐出ヘッド）
２２９    ：第２ディセンダ（ディセンダ）
２２９ａ  ：第１端
２２９ｂ  ：第２端
３２０    ：ヘッド（液体吐出ヘッド）
３２９    ：ディセンダ
３２９ｂ  ：第２端
３４１    ：第１流路プレート（板状体）
３４１ａ  ：第１貫通孔（貫通孔）
４２０    ：ヘッド（液体吐出ヘッド）
４２９    ：ディセンダ
４２９ａ  ：第１端
４２９ｂ  ：第２端
θ１      ：第１方向の傾斜角度
【図１】
2020196232.tif 000003
【図２】
2020196232.tif 000004
【図３】
2020196232.tif 000005
【図４】
2020196232.tif 000006
【図５】
2020196232.tif 000007
【図６】
2020196232.tif 000008